(57)【要約】【課題】録画機器の制御装置において、録画指示の操作方法が異なる複数の録画機器に対して、同一の操作方法で録画指示を行えるようにする。【解決手段】録画機器の制御装置は、受信した電子メールの件名に記載の内容を基に、本装置に接続される複数の録画機器の中から録画先を判別すると共に（＃２）、受信した電子メールの本文に記載の内容を基に、録画指示内容を解読する（＃４）。そして、録画機器の制御装置は、録画先の録画機器に対応した形式の録画指示情報を生成し（＃７）、その録画指示情報を録画先の録画機器に送信する（＃８）。すなわち、件名に録画機器を記載すると共に本文に録画指示内容を記載した電子メールを携帯端末から録画機器の制御装置に送信すると、録画機器の制御装置によって、電子メールの件名に記載した録画先の録画機器に対して、電子メールの本文に記載した録画指示内容で録画指示がなされる。【選択図】図３
2007324749.tif 000002
【特許請求の範囲】
【請求項１】
通信ネットワークを介して通信を行うためのネットワークインターフェースと、前記ネットワークインターフェースを介して本装置（制御装置）に通信接続される録画機器に対して録画動作を指示するための録画指示情報を生成し、その録画指示情報を前記ネットワークインターフェースを介して前記録画機器に送信する録画指示制御手段と、を備える録画機器の制御装置において、
前記録画指示制御手段は、
前記ネットワークインターフェースを介して携帯端末から受信した電子メールの件名に記載の内容を基に、前記ネットワークインターフェースを介して本装置に通信接続される複数の録画機器の中から、録画先を判別する録画先判別手段と、
前記ネットワークインターフェースを介して携帯端末から受信した電子メールの本文に記載の内容を基に、録画機器に対する録画指示内容を解読する録画指示内容解読手段と、
前記録画指示内容解読手段により解読した録画指示内容を基に、前記ネットワークインターフェースを介して受信したＥＰＧを利用して、録画指示された番組を検索する番組検索手段と、
前記番組検索手段によって録画指示された番組が特定できた場合に、前記録画先判別手段によって特定した録画先の録画機器に対応した形式の録画指示情報であって、前記録画指示内容解読手段によって解読された録画指示内容に対応する録画指示情報を生成し、その録画指示情報を前記特定した録画機器に送信する録画指示情報送信手段と、
前記録画先判別手段によって録画先が特定できなかった場合に、録画先が特定できない旨の電子メールを前記携帯端末に送信し、前記番組検索手段によって録画指示された番組が特定できなかった場合に、録画指示された番組が特定できない旨の電子メールを前記携帯端末に送信すると共に、前記録画指示情報送信手段によって録画指示情報を送信した後に、録画指示を完了した旨の電子メールを前記携帯端末に送信する通知手段とを有する、
ことを特徴とする録画機器の制御装置。
【請求項２】
通信ネットワークを介して通信を行うためのネットワークインターフェースと、前記ネットワークインターフェースを介して本装置（制御装置）に通信接続される録画機器に対して録画動作を指示するための録画指示情報を生成し、その録画指示情報を前記ネットワークインターフェースを介して前記録画機器に送信する録画指示制御手段と、を備える録画機器の制御装置において、
前記録画指示制御手段は、
前記ネットワークインターフェースを介して携帯端末から受信した電子メールの内容を基に、前記録画機器を特定すると共に前記録画機器に対する録画指示内容を解読し、
前記特定した録画機器に対応した形式の録画指示情報であって、前記解読した録画指示内容に対応する録画指示情報を生成し、その録画指示情報を前記特定した録画機器に送信する、
ことを特徴とする録画機器の制御装置。
【請求項３】
前記録画指示制御手段は、
前記解読した録画指示内容を基に、前記ネットワークインターフェースを介して受信したＥＰＧを利用して、録画指示された番組を検索し、
録画指示された番組が特定できた場合に、録画指示情報を生成して録画機器に送信し、
録画指示された番組が特定できなかった場合に、録画指示された番組が特定できない旨の電子メールを前記携帯端末に送信する、
ことを特徴とする請求項２に記載の録画機器の制御装置。
【発明の詳細な説明】
【技術分野】
【０００１】
本発明は、テレビ放送により配信されるテレビ番組を録画する録画機器に対して録画指示を行う録画機器の制御装置に関するものである。
【背景技術】
【０００２】
従来から、テレビ放送により配信されるテレビ番組を録画（画像や音楽を含むコンテンツをデジタルデータとして記憶）する録画機器としては、ＰＣやＤＶＤレコーダ、ＨＤＤレコーダなどがある。この種の録画機器において、通信ネットワークを介して通信する機能を有し、記憶したテレビ番組のコンテンツを通信ネットワークを介してコンテンツ再生機器に供給できるようにしたものがある。このような通信機能を有する録画機器は、専用リモコンによる録画指示操作に加え、他の機器から通信ネットワークを介して録画指示情報を受信したときにも、その録画指示情報に従ってテレビ番組の録画を行うようになっている。また、録画機器にフォルダ（複数のユーザがコンテンツを独立して管理できるようにユーザ毎に割当てられたコンテンツ保存領域）を設定し、そのフォルダを録画先として指定できるようになっている。
【０００３】
また、このような通信機能を有する録画機器には、電子メールを利用してテレビ番組の録画を指示できるようにしたものもある。すなわち、録画機器は、電子メールの受信機能を有し、携帯端末から録画指示に関する記載をした電子メールを受信したときに、その電子メールの記載を基にテレビ番組の録画を行うというものである。
【０００４】
また、画像データの記録機能を有する複数の画像処理装置をネットワークを介して接続し、画像データの記録を行っている画像処理装置の画像記録媒体の空き容量が足りなくなったときに、画像データの記録を行っている画像処理装置から別の画像処理装置に対して画像データの記録の引継ぎを指示する電子メールを送信し、その電子メールを受信した別の画像処理装置が画像データの記録を引き継ぐようにしたシステムが知られている（例えば特許文献１参照）。
【特許文献１】ＷＯ２００３／０３６９５４号公報
【発明の開示】
【発明が解決しようとする課題】
【０００５】
ところが、上述した従来の電子メールを利用して録画を指示できるようにした録画機器においては、録画機器毎（メーカ毎、あるいは、同じメーカであっても機種毎）に録画指示の操作方法（すなわち録画指示に関する電子メールの記載方法など）が異なるので、複数の録画機器を持っている場合には、それら録画機器毎の録画指示の操作方法を覚えておく必要があり、不便である。ユーザは、外出先から録画指示を行うような場合には、専用リモコンを所持しておらず、電子メールを利用した録画指示を行うしかないため、特に不便になる。なお、上述した特許文献１に開示の内容を適用したとしても、上記の課題を解決することはできない。
【０００６】
本発明は、上記課題を解決するためになされたものであり、録画指示の操作方法が異なる複数の録画機器に対して、同一の操作方法で録画指示を行えるようにする録画機器の制御装置を提供することを目的とする。
【課題を解決するための手段】
【０００７】
上記目的を達成するために請求項１の発明は、通信ネットワークを介して通信を行うためのネットワークインターフェースと、ネットワークインターフェースを介して本装置（制御装置）に通信接続される録画機器に対して録画動作を指示するための録画指示情報を生成し、その録画指示情報をネットワークインターフェースを介して録画機器に送信する録画指示制御手段と、を備える録画機器の制御装置において、録画指示制御手段は、ネットワークインターフェースを介して携帯端末から受信した電子メールの件名に記載の内容を基に、ネットワークインターフェースを介して本装置に通信接続される複数の録画機器の中から、録画先を判別する録画先判別手段と、ネットワークインターフェースを介して携帯端末から受信した電子メールの本文に記載の内容を基に、録画機器に対する録画指示内容を解読する録画指示内容解読手段と、録画指示内容解読手段により解読した録画指示内容を基に、ネットワークインターフェースを介して受信したＥＰＧを利用して、録画指示された番組を検索する番組検索手段と、番組検索手段によって録画指示された番組が特定できた場合に、録画先判別手段によって特定した録画先の録画機器に対応した形式の録画指示情報であって、録画指示内容解読手段によって解読された録画指示内容に対応する録画指示情報を生成し、その録画指示情報を特定した録画機器に送信する録画指示情報送信手段と、録画先判別手段によって録画先が特定できなかった場合に、録画先が特定できない旨の電子メールを携帯端末に送信し、番組検索手段によって録画指示された番組が特定できなかった場合に、録画指示された番組が特定できない旨の電子メールを携帯端末に送信すると共に、録画指示情報送信手段によって録画指示情報を送信した後に、録画指示を完了した旨の電子メールを携帯端末に送信する通知手段とを有するものである。
【０００８】
請求項２の発明は、通信ネットワークを介して通信を行うためのネットワークインターフェースと、ネットワークインターフェースを介して本装置（制御装置）に通信接続される録画機器に対して録画動作を指示するための録画指示情報を生成し、その録画指示情報をネットワークインターフェースを介して録画機器に送信する録画指示制御手段と、を備える録画機器の制御装置において、録画指示制御手段は、ネットワークインターフェースを介して携帯端末から受信した電子メールの内容を基に、録画機器を特定すると共に録画機器に対する録画指示内容を解読し、特定した録画機器に対応した形式の録画指示情報であって、解読した録画指示内容に対応する録画指示情報を生成し、その録画指示情報を特定した録画機器に送信するものである。
【０００９】
請求項３の発明は、請求項２に記載の録画機器の制御装置において、録画指示制御手段は、解読した録画指示内容を基に、ネットワークインターフェースを介して受信したＥＰＧを利用して、録画指示された番組を検索し、録画指示された番組が特定できた場合に、録画指示情報を生成して録画機器に送信し、録画指示された番組が特定できなかった場合に、録画指示された番組が特定できない旨の電子メールを携帯端末に送信するものである。
【発明の効果】
【００１０】
請求項１の発明によれば、件名に録画先が記載されていると共に本文に録画指示内容が記載された電子メールが録画機器の制御装置に受信されると、録画機器の制御装置によって、電子メールの件名に記載されている録画先の録画機器に対応した形式の録画指示情報であって電子メールの本文に記載されている録画指示内容に対応する録画指示情報が生成され、その録画指示情報が録画先の録画機器に送信される。すなわち、件名に録画先を記載すると共に本文に録画指示内容を記載した電子メールを携帯端末から録画機器の制御装置に送信すると、録画機器の制御装置によって、電子メールの件名に記載した録画先の録画機器に対して電子メールの本文に記載した録画指示内容で録画指示がなされる。従って、録画機器の録画指示の操作方法に関わらず、件名に録画先を記載すると共に本文に録画指示内容を記載した電子メールを携帯端末から録画機器の制御装置に送信するだけで、録画機器に対して録画指示を行うことができる。また、録画指示の操作方法が異なる複数の録画機器が録画機器の制御装置に接続されている場合でも、件名に録画先を記載すると共に本文に録画指示内容を記載した電子メールを携帯端末から録画機器の制御装置に送信するという同一の操作方法で、各録画機器に対して録画指示を行うことができ、ユーザによる録画指示の操作が容易になる。しかも、電子メールの件名に録画先を記載することにより録画先を指定できるため、ユーザによる録画先を指定する操作が容易になる。また、録画先又は録画指示された番組が特定できなかった場合には、その旨の電子メールが携帯端末に送信され、録画先及び録画指示された番組が特定できて録画機器に対する録画指示が完了した場合には、録画指示を完了した旨の電子メールが携帯端末に送信されるため、ユーザは、録画機器に対して録画指示がなされたか否かを知ることができ、録画の失敗などを防止することができ、利便性が向上する。
【００１１】
請求項２の発明によれば、録画機器及び録画指示内容が記載された電子メールが録画機器の制御装置に受信されると、録画機器の制御装置によって、電子メールに記載されている録画機器に対応した形式の録画指示情報であって電子メールに記載されている録画指示内容に対応する録画指示情報が生成され、その録画指示情報が電子メールに記載されている録画機器に送信される。すなわち、録画機器及び録画指示内容を記載した電子メールを携帯端末から録画機器の制御装置に送信すると、録画機器の制御装置によって、電子メールに記載した録画機器に対して電子メールに記載した録画指示内容で録画指示がなされる。従って、録画機器の録画指示の操作方法に関わらず、録画機器及び録画指示内容を記載した電子メールを携帯端末から録画機器の制御装置に送信するだけで、録画機器に対して録画指示を行うことができる。また、録画指示の操作方法が異なる複数の録画機器が録画機器の制御装置に接続されている場合でも、録画機器及び録画指示内容を記載した電子メールを携帯端末から録画機器の制御装置に送信するという同一の操作方法で、各録画機器に対して録画指示を行うことができ、ユーザによる録画指示の操作が容易になる。
【００１２】
請求項３の発明によれば、録画指示された番組が特定できなかった場合には、その旨の電子メールが携帯端末に送信されるため、ユーザは、録画機器に対して録画指示がなされたか否かを知ることができ、録画の失敗などを防止することができ、利便性が向上する。
【発明を実施するための最良の形態】
【００１３】
以下、本発明を具体化した実施形態による録画機器の制御装置について図面を参照して説明する。図１は、録画機器の制御装置と録画機器との接続構成を示す。録画機器の制御装置１は、通信ネットワーク２に接続されている。通信ネットワーク２は、例えば家庭内のホームネットワークであり、通信ネットワーク２には、録画機器の制御装置１に加え、例えば、複数の録画機器３ａ、３ｂ、３ｃ、及びコンテンツ再生機器４が接続されている。つまり、録画機器の制御装置１、録画機器３ａ、３ｂ、３ｃ、及びコンテンツ再生機器４は、通信ネットワーク２を介して相互に接続されており、通信ネットワーク２を介して相互に通信可能になっている。また、通信ネットワーク２は、インターネット５に接続されており、録画機器の制御装置１は、インターネット５を介して携帯端末６と通信可能になっている。
【００１４】
録画機器３ａ、３ｂ、３ｃは、テレビ放送により配信されるテレビ番組を録画（画像や音楽を含むコンテンツをデジタルデータとして記憶）する機器であり、コンテンツ再生機器４は、録画機器３ａ、３ｂ、３ｃから通信ネットワーク２を介してコンテンツの供給を受けて、そのコンテンツを再生する機器である。録画機器３ａは、操作部３１又は専用のリモコン（不図示）の操作を受けて、テレビ番組の録画を行うようになっており、また、通信ネットワーク２を介して録画指示情報を受信したときにも、その録画指示情報に従ってテレビ番組の録画を行うようになっている。録画機器３ｂ、３ｃも同様である。コンテンツ再生機器４は、操作部４１の操作を受けて、画像表示部４２及び音声出力部４３によってコンテンツの再生を行うようになっている。
【００１５】
録画機器の制御装置１は、携帯端末６から受信した電子メールの記載内容を基に、録画機器３ａ、３ｂ、３ｃに対して録画指示を行う装置である。なお、録画指示とは、今すぐ録画を開始する指示や、指定した時刻から録画を開始する予約録画の指示などを含んでいる。
【００１６】
録画機器の制御装置１による録画機器３ａ、３ｂ、３ｃに対する録画指示は、以下のように行われる。すなわち、ユーザは、携帯端末６から録画先及び録画指示内容を記載した電子メールを制御装置１に送信する。なお、電子メールにおける録画先についての記載には、各録画機器３ａ、３ｂ、３ｃにおいて設定されているフォルダ（複数のユーザがコンテンツを独立して管理できるようにユーザ毎に割当てられたコンテンツ保存領域）についての記載が含まれる。そして、制御装置１は、電子メールを受信すると、受信した電子メールの記載内容を基に、電子メールに記載されている録画先の録画機器に対応した形式の録画指示情報であって、電子メールに記載されている録画指示内容に対応する録画指示情報を生成し、その録画指示情報を録画先の録画機器に送信する。これにより、電子メールに記載された録画先の録画機器に対して、電子メールに記載した録画指示内容で録画指示がなされる。また、制御装置１は、録画指示を完了した旨を電子メールで携帯端末６に送信する。
【００１７】
図２は、上記録画機器の制御装置１の電気的ブロック構成を示す。制御装置１は、制御装置１を制御するためのＣＰＵ等からなる制御部１１と、操作部１２と、表示部１３と、ネットワークインターフェース１４と、メモリ１５等を備える。
【００１８】
操作部１２は、ユーザ名の登録、各録画機器３ａ、３ｂ、３ｃの機器名の登録、及び各録画機器３ａ、３ｂ、３ｃ内のフォルダ名の登録等、制御装置１の各種動作を指示するためにユーザにより操作される。操作部１２を操作することにより、文字や数字、記号などを入力できるようになっている。表示部１３は、制御部１１による制御のもと、操作部１２の操作により入力された文字や数字、記号、及び各種メッセージ等を表示する。
【００１９】
ネットワークインターフェース１４は、制御部１１による制御のもと、通信ネットワーク２を介して他の機器と通信を行う。ネットワークインターフェース１４は、ＩＥＥＥ１３９４規格に準拠しており、通信ネットワーク２のネットワークケーブル２ａに接続され、制御部１１による制御のもと、ネットワークケーブル２ａを介してコンテンツのデジタルデータ、録画指示情報、及び制御信号等の各種信号を送受信する。メモリ１５は、制御部１１による制御のもと、制御装置１のＩＰアドレス、ユーザ名、各録画機器３ａ、３ｂ、３ｃの機器名、各録画機器３ａ、３ｂ、３ｃ内のフォルダ名等を記憶する。
【００２０】
制御部１１は、操作部１２の操作を受けて、ユーザ名の登録動作、各録画機器３ａ、３ｂ、３ｃの機器名の登録動作、及び各録画機器３ａ、３ｂ、３ｃ内のフォルダ名の登録動作等を制御する。また、制御部１１は、各録画機器３ａ、３ｂ、３ｃに適用される録画指示情報に関する取り決め等を各録画機器３ａ、３ｂ、３ｃから取得する動作を制御する。さらにまた、制御部１１は、電子メールの受信を受けて、各録画機器３ａ、３ｂ、３ｃに対する録画指示動作を制御する。
【００２１】
ユーザ名の登録は、例えば初期設定時に行われ、ユーザが操作部１２を操作してユーザ名を入力することにより、そのユーザ名がメモリ１５に記憶されることによって行われる。各録画機器３ａ、３ｂ、３ｃの機器名の登録、及び各録画機器３ａ、３ｂ、３ｃ内のフォルダ名の登録も同様である。ユーザ名、機器名、及びフォルダ名は、ユーザが独自に登録することができる。
【００２２】
録画指示情報に関する取り決め等の取得は、例えば初期設定時に行われ、操作部１２の操作を受けて、各録画機器３ａ、３ｂ、３ｃと通信を行い、各録画機器３ａ、３ｂ、３ｃから各録画機器３ａ、３ｂ、３ｃに適用される録画指示情報に関する取り決め等のデータをダウンロードして、それらのデータを各録画機器３ａ、３ｂ、３ｃの機器名と対応付けてメモリ１５に記憶することにより行われる。
【００２３】
各録画機器３ａ、３ｂ、３ｃに対する録画指示は、受信した電子メールの内容を基に録画先を判別すると共に録画指示内容を解読し、録画先の録画機器に対応した形式の録画指示情報であって録画指示内容に対応する録画指示情報を生成して、その録画指示情報を録画先の録画機器に送信することにより行われる。
【００２４】
録画先の判別は、電子メールの件名の欄に記載されている内容とメモリ１５に記憶されている各録画機器３ａ、３ｂ、３ｃの機器名、及び各録画機器３ａ、３ｂ、３ｃ内のフォルダ名とを比較することにより行われる。そして、電子メールの件名に、録画機器３ａ、３ｂ、３ｃのフォルダ名のいずれかが記載されている場合に、そのフォルダが録画先であるとして、録画先を特定する。
【００２５】
録画指示内容の解読は、電子メールの本文中に含まれている所定の形式の記述を基に、以下の解読規則に従って行われる。すなわち、電子メールの本文中に「Ｔ／ｐ：ｑ−ｒ：ｓ」（ｐ、ｑ、ｒ、ｓは任意の数字）の形式の記述があれば、その記述を録画時刻の指定であると判断し、ｐ：ｑを録画開始時刻、ｒ：ｓを録画終了時刻と判断する。つまり、例えば「Ｔ／１９：００−２１：００」の記述があれば、１９時００分から２１時００分まで録画する指示であると判断する。また、電子メールの本文中に「ＣＨ／ｘ」（ｘは任意の数字）の形式の記述があれば、その記述を録画チャンネルの指定であると判断し、ｘを録画チャンネルと判断する。つまり、例えば「ＣＨ／２」の記述があれば、２チャンネルの番組を録画する指示であると判断する。
【００２６】
さらにまた、電子メールの本文中に「ＫＷ／ｙ」（ｙは任意の文字、数字、記号）の形式の記述があれば、その記述をキーワードによる番組の指定であると判断し、ｙをキーワードと判断する。つまり、例えば「ＫＷ／野球」の記述があれば、野球というキーワードを持つ番組を録画する指示であると判断する。キーワードによる番組の指定がある場合には、そのキーワードを持つ番組をＥＰＧを利用して検索し、録画する番組を特定する。ＥＰＧとしては、インターネット５を介して供給されるＥＰＧデータ等を受信して利用する。このようにして、録画指示内容が解読される。
【００２７】
そして、これら特定された録画先、解読された録画指示内容、及びメモリ１５に記憶されている各録画機器３ａ、３ｂ、３ｃに適用される録画指示情報に関する取り決め等のデータを基に、録画先の録画機器に対応した形式の録画指示情報であって、録画指示内容に対応する録画指示情報を生成し、その録画指示情報を録画先の録画機器に送信する。このとき、録画先の録画機器がＥＰＧ機能を搭載している場合には、録画指示情報をＥＰＧ対応形式にする。これにより、電子メールの受信に基く録画指示がなされる。
【００２８】
従って、ユーザは、録画指示をするために携帯端末６から制御装置１に電子メールを送信するとき、電子メールの件名の欄に録画先を記載することにより録画先を指定する。すなわち、電子メールの件名の欄に、制御装置１に予め登録しておいた（メモリ１５に記憶されている）各録画機器３ａ、３ｂ、３ｃの機器名、及び各録画機器３ａ、３ｂ、３ｃ内のフォルダ名のいずれかを記載することにより、録画先を指定する。また、電子メールの本文中に所定の形式の記述を含めることにより録画内容を指示する。すなわち、電子メールの本文中に「Ｔ／ｐ：ｑ−ｒ：ｓ」の形式の記述を含めることにより、録画する時刻を指定し、「ＣＨ／ｘ」の形式の記述を含めることにより、録画する番組のチャンネルを指定し、「ＫＷ／ｙ」の形式の記述を含めることにより、録画する番組をキーワードによって指定する。
【００２９】
ユーザは、このようにして録画先及び録画指示内容を記載した電子メールを作成し、その電子メールを制御装置１に送信する。これにより、録画機器の制御装置１によって、受信した電子メールの記載内容を基に録画先が特定されると共に録画指示内容が解読され、電子メールに記載された録画先の録画機器に対して、電子メールに記載した録画指示内容で録画指示がなされる。
【００３０】
図３は、上記録画機器の制御装置１の制御部１１による録画機器３ａ、３ｂ、３ｃに対する録画指示動作のフローチャートを示す。まず、制御装置１の制御部１１は、インターネット５を経由して携帯端末６から電子メールを受信すると（＃１でＹＥＳ）、その電子メールの件名に記載の内容を基に録画先を判別する（＃２）。録画先の判別は、上述のように、電子メールの件名の欄に記載されている内容とメモリ１５に記憶されている各録画機器３ａ、３ｂ、３ｃの機器名、及び各録画機器３ａ、３ｂ、３ｃ内のフォルダ名とを比較することにより行われる。
【００３１】
そして、録画先が特定できた（すなわち電子メールの件名に、少なくとも録画機器３ａ、３ｂ、３ｃの機器名のいずれかが記載されている）場合に（＃３でＹＥＳ）、制御部１１は、受信した電子メールの本文に記載の内容を基に、録画指示内容を解読する（＃４）。録画指示内容の解読は、上述のように、電子メールの本文中に含まれている所定の形式の記述（「Ｔ／ｐ：ｑ−ｒ：ｓ」（ｐ、ｑ、ｒ、ｓは任意の数字）の形式の記述、「ＣＨ／ｘ」（ｘは任意の数字）の形式の記述、及び「ＫＷ／ｙ」（ｙは任意の文字、数字、記号）の形式の記述）を基に行われる。
【００３２】
続いて、制御部１１は、録画指示された番組をＥＰＧを利用して検索する（＃５）。録画指示された番組の検索は、上述のように、例えばキーワードによる番組の指定がある場合（電子メールの本文中に「ＫＷ／ｙ」の形式の記述（ｙはキーワード）がある場合）には、そのキーワードを持つ番組を検索することにより行われる。
【００３３】
そして、録画指示された番組が特定できた（すなわち上記＃４の録画指示内容の解読の結果又は上記＃５の番組の検索の結果、録画の対象となる番組が１つである）場合に（＃６でＹＥＳ）、制御部１１は、録画先の録画機器に対応した形式の録画指示情報であって録画指示内容に対応する録画指示情報を生成し（＃７）、その録画指示情報を録画先の録画機器に送信する（＃８）。これにより、電子メールに記載された録画先の録画機器に対して、電子メールに記載した録画指示内容で録画指示がなされる。その後、制御部１１は、録画指示を完了した旨の電子メールを携帯端末６に送信する（＃９）。
【００３４】
上記＃３で録画先が特定できなかった場合には、制御部１１は、録画先が特定できない旨の電子メールを携帯端末６に送信する（＃１０）。また、上記＃６で録画指示された番組が特定でなかった場合には、制御部１１は、録画指示された番組が特定できない旨の電子メールを携帯端末６に送信する（＃１１）。このとき、録画指示された番組が特定できない理由やキーワードにより番組を検索した検索結果等を、録画指示された番組が特定できない旨と共に送信するようにしてもよい。
【００３５】
このように、上記構成の録画機器の制御装置１によれば、件名に録画先を記載すると共に本文に所定の形式の記述による録画指示内容を記載した電子メールを作成して、その電子メールを携帯端末６から録画機器の制御装置１に送信すると、録画機器の制御装置１によって、電子メールに記載した録画先の録画機器に対応した形式の録画指示情報であって電子メールに記載した録画指示内容に対応する録画指示情報が生成されて、その録画指示情報が録画機器の制御装置１から電子メールに記載した録画先の録画機器に送信され、これにより、電子メールの件名に記載した録画先の録画機器に対して、電子メールの本文に記載した録画指示内容で録画指示がなされる。
【００３６】
従って、録画機器３ａ、３ｂ、３ｃの録画指示の操作方法に関わらず、件名に録画先を記載すると共に本文に所定の形式の記述による録画指示内容を記載した電子メールを録画機器の制御装置１に送信するだけで、録画機器３ａ、３ｂ、３ｃに対して録画指示を行うことができる。すなわち、録画機器３ａ、３ｂ、３ｃの操作方法が異なる場合であっても、件名に録画先を記載すると共に本文に所定の形式の記述による録画指示内容を記載した電子メールを携帯端末６から録画機器の制御装置１に送信するという同一の操作方法で、各録画機器３ａ、３ｂ、３ｃに対して録画指示を行うことができ、ユーザによる録画指示の操作が容易になる。しかも、電子メールの件名に録画先を記載することにより録画先を指定できるため、ユーザによる録画先を指定する操作が容易になる。
【００３７】
また、録画先又は録画指示された番組が特定できなかった場合には、その旨の電子メールが携帯端末６に送信され、録画先及び録画指示された番組が特定できて録画機器３ａ、３ｂ、３ｃに対する録画指示が完了した場合には、録画指示を完了した旨の電子メールが携帯端末６に送信されるため、ユーザは、録画機器３ａ、３ｂ、３ｃに対して録画指示がなされたか否かを知ることができ、録画の失敗などを防止することができ、利便性が向上する。
【００３８】
なお、本発明は、上記実施形態の構成に限られず、種々の変形が可能である。例えば、録画指示内容の解読は、上記実施形態で説明した解読規則に限られず、他の解読規則に従って解読するようにしてもよい。また、電子メールの本文中に録画指示内容と共に録画先を記載するようにしてもよい。
【図面の簡単な説明】
【００３９】
【図１】本発明の一実施形態に係る録画機器の制御装置と録画機器との接続構成を示す図。
【図２】同録画機器の制御装置の電気的ブロック構成図。
【図３】同録画機器の制御装置の制御部による録画機器に対する録画指示動作を示すフローチャート。
【符号の説明】
【００４０】
１    録画機器の制御装置
２    通信ネットワーク
３ａ、３ｂ、３ｃ    録画機器
４    コンテンツ再生機器
５    インターネット
６    携帯端末
１１    制御部
１２    操作部
１３    表示部
１４    ネットワークインターフェース
１５    メモリ
【図１】
2007324749.tif 000003
【図２】
2007324749.tif 000004
【図３】
2007324749.tif 000005